(57)【要約】      （修正有）【課題】買い物時の支払いの際に、硬貨の判別をし易く、手間取る事無く速やかに取り出せ、紙幣の分別や、多種のカード、券類をたくさん収納し、整理整頓できる貨幣入れを提供する。【解決手段】貨幣入れ本体の前後に、２箇所の上蓋で開閉可能な収納部分を設け、手前の収納部分は内部を見渡す事が出来る様に、小銭入れ口が広く大きく開放できる折り畳み式の小銭入れを設け、その内部の後壁内側に一箇所と、本体後方の収納部分に２箇所の合計３箇所の札入れを設け、金額や、国内外の紙幣等の分別ができる様にした。また、買い物券や引換券などが収納できるファスナー付きのポケットを１箇所設けることで、貨幣入れの中を整理整頓でき、目的の貨幣やカード等を速やかに取り出す事ができる。【選択図】図４
0003158781.tif 000002
【実用新案登録請求の範囲】
【請求項１】
今回実用新案登録請求を行う貨幣入れの考案において
（１）貨幣入れ本体には上辺が円弧を描いた２つの上蓋（ａ、ａ’）と下蓋がある。（図１）
（２）下蓋と同じ高さの側壁は、その側壁及び下辺が上蓋、下蓋、及び貨幣入れ本体の側辺に固定されている。（図２）
（３）左右の側壁と上蓋（ａ）、下蓋により囲まれ構成される小銭入れ内側には、本体の底辺、側辺、上蓋ａに固定された、側辺と同じ高さの左右四段ずつのポケット状カード入れが設置されている。（図３）
（４）上蓋ａ’と上蓋ａの側辺に固定された、本体の側辺と同じ高さを有する側壁により、折れまちポケットを構成している。（図４）
（５）おれまちポケット内部には、上蓋ａ’の側辺及び本体の底辺に固定され、その上辺に引き手とファスナーを施した袋状のポケットとそのポケットを挟んで左右四段ずつのポケット状カード入が２枚設置されている。
また、上蓋ａの背面から成る札入れを有している。（図５）
（６）貨幣入れ背面には、後ろポケットが設置されている。（図６）
（７）貨幣、紙幣、その他収納物の収納量にあわせ、下蓋に２か所設置した係止具により調整できる機能を有する。
以上からなる貨幣入れである。
【考案の詳細な説明】
【技術分野】
【０００１】  本考案は、内部全体を見渡せる様に、硬貨入れ部を広く、大きく開放できる折り畳み式の小銭入れと、３箇所の札入れ部、８枚ずつ収納可能なカード入れ３枚（合計２４枚）、１箇所のファスナー付きポケットと後ろポケットを設けた貨幣入れ。
【背景技術】  従来の貨幣入れは、小銭入れ口が狭いために硬貨の種類の判別がしづらく、取り出しに手間取ったり、札入れ部が１箇所しかない為に、海外旅行の際などで、その国の貨幣と、日本国の貨幣とを分けて収納する事が困難である場合があった。また、嵩張るカード類や、紛失し易い買い物券や引換券等を、すっきりと収納し難かった。
【考案が解決しようとする課題】
支払いの際、小銭入れ口が狭い為に、硬貨の判別や取り出しに手間取り、焦って貨幣を出してしまいがちである。その結果、釣り銭として硬貨が返ってきて、小銭が増え、さらに判別するのに難しくなる、といった悪循環をなくし、レシートや買い物券等でつい乱雑になりがちな貨幣入れ内部を見やすく片付け、使い勝手の良いものにする。
【課題を解決する為の手段】
小銭入れ口を広く、大きく開放でき、内部の硬貨を明瞭に判別できる小銭入れを設ける。札入れは、種類別に収納できる様に３箇所設け、その内の１箇所は小銭入れ内部に設け、札入れ用としてだけでなく、レシート、パスポート等を速やかに収納する事ができる。そして、全２４枚のカードを嵩張らず収納できる様に、それぞれ８枚ずつ収納可能なカード入れを３箇所に設け、紛失しがちな買い物券や引換券を収納する為に、ファスナー付きのポケットを設けた。
【考案の効果】
硬貨を取り出し易く、紙幣やカード、買い物券等の所在が明瞭な為、焦らず、速やかな支払いを促す。
【考案を実施するための最良の形態】    添付図面に従って説明する。２の上蓋ａを上方向へ開き、４の下蓋も手前に引き開け、Ｃの小銭入れ内部全体が見える様に開放し、硬貨を容易に判別し、取り出す事が出来る。
【実施例】    添付図面に従って実施例を説明する。例えば、Ｃの小銭入れ内部に硬貨を入れ、その後壁内側に設けた７の札入れｄに千円札を、３の上蓋ａ’を開けた内部にある１１の札入れｄ’に五千円札、そして、その後方の１４の札入れｄ”には一万円札を分けて入れ、１９のポケットには買い物券や、クリーニング店の引換券を入れておく。
【図面の簡単な説明】図は本考案貨幣入れの実施例を示すものであって第１図は全体の正面図、第２図は上蓋ａを開いた状態を示す正面図、第３図は上蓋と下蓋を開いた状態を示す正面図、第４図は上蓋ａ’を開いた状態を示す斜視図、第５図は上蓋ａ’を開き、引き手とファスナーを施されたポケットを手前に引き倒した状態を示す斜視図である。
【符号の説明】１−貨幣入れ本体、２−上蓋ａ、３−上蓋ａ’、４−下蓋、５−側壁、６−カード入れｂ、７−札入れｄ、８−小銭入れｃ、９−ファスナー、１０−引き手、１１−札入れｄ’、１２−側壁、１３−カード入れｂ’、１４−札入れｄ’’、１５−係止具ｅ、１６−係止具ｅ’、１７−係止具ｅ’’、１８−係止具ｅ’’’、１９−ポケット、２０−ポケット、２１−カード入れｂ’’、２２−うしろポケット。
【図１】
0003158781.tif 000003
【図２】
0003158781.tif 000004
【図３】
0003158781.tif 000005
【図４】
0003158781.tif 000006
【図５】
0003158781.tif 000007
【図６】
0003158781.tif 000008
【手続補正書】
【提出日】平成22年1月29日(2010.1.29)
【手続補正１】
【補正対象書類名】実用新案登録請求の範囲
【補正対象項目名】全文
【補正方法】変更
【補正の内容】
【実用新案登録請求の範囲】
【請求項１】
貨幣入れの考案において
（１）貨幣入れ本体には上辺が円弧を描いた上蓋ａ、上蓋ａ’と下蓋がある、
（２）下蓋と同じ高さの側壁は、その側壁及び下辺が２枚の上蓋ａ、上蓋ａ’、下蓋、及び貨幣入れ本体の側辺に固定されている、
（３）左右の側壁と上蓋ａ、下蓋により囲まれ構成される小銭入れ内側には、本体の底辺、側辺、上蓋ａに固定された、側辺と同じ高さの左右四段ずつのポケット状カード入れが設置されている、
（４）上蓋ａと上蓋ａ’の側辺に固定された、本体の側辺と同じ高さを有する側壁により、折れまちポケットを構成している、
（５）おれまちポケット内部には、上蓋ａ’の側辺及び本体の底辺に固定され、その上辺に引き手とファスナーを施した袋状のポケットとそのポケットを挟んで左右四段ずつのポケット状カード入が２枚設置されている、
また、上蓋ａの背面から成る札入れを有している、
（６）貨幣入れ背面には、後ろポケットが設置されている、
（７）貨幣、紙幣、その他収納物の収納量にあわせ、下蓋に２か所設置した係止具により調整できる機能を有する、
以上からなる貨幣入れ。
【手続補正２】
【補正対象書類名】明細書
【補正対象項目名】全文
【補正方法】変更
【補正の内容】
【考案の詳細な説明】
【技術分野】
【０００１】  本考案は、内部全体を見渡せる様に、硬貨入れ部を広く、大きく開放できる折り畳み式の小銭入れと、３箇所の札入れ部、８枚ずつ収納可能なカード入れ３枚（合計２４枚）、１箇所のファスナー付きポケットと後ろポケットを設けた貨幣入れ。
【背景技術】
【０００２】  従来の貨幣入れは、小銭入れ口が狭いために硬貨の種類の判別がしづらく、取り出しに手間取ったり、札入れ部が１箇所しかない為に、海外旅行の際などで、その国の貨幣と、日本国の貨幣とを分けて収納する事が困難である場合があった。また、嵩張るカード類や、紛失し易い買い物券や引換券等を、すっきりと収納し難かった。
【考案が解決しようとする課題】
【０００３】  支払いの際、小銭入れ口が狭い為に、硬貨の判別や取り出しに手間取り、焦って貨幣を出してしまいがちである。その結果、釣り銭として硬貨が返ってきて、小銭が増え、さらに判別するのに難しくなる、といった悪循環をなくし、レシートや買い物券等でつい乱雑になりがちな貨幣入れ内部を見やすく片付け、使い勝手の良いものにする。
【課題を解決する為の手段】
【０００４】  小銭入れ口を広く、大きく開放でき、内部の硬貨を明瞭に判別できる小銭入れを設ける。札入れは、種類別に収納できる様に３箇所設け、その内の１箇所は小銭入れ内部に設け、札入れ用としてだけでなく、レシート、パスポート等を速やかに収納する事ができる。そして、全２４枚のカードを嵩張らず収納できる様に、それぞれ８枚ずつ収納可能なカード入れを３箇所に設け、紛失しがちな買い物券や引換券を収納する為に、ファスナー付きのポケットを設けた。
【考案の効果】
【０００５】  硬貨を取り出し易く、紙幣やカード、買い物券等の所在が明瞭な為、焦らず、速やかな支払いを促す。
【考案を実施するための最良の形態】
【０００６】  添付図面に従って説明する。２の上蓋ａを上方向へ開き、４の下蓋も手前に引き開け、Ｃの小銭入れ内部全体が見える様に開放し、硬貨を容易に判別し、取り出す事が出来る。
【実施例】  添付図面に従って実施例を説明する。例えば、Ｃの小銭入れ内部に硬貨を入れ、その後壁内側に設けた７の札入れｄに千円札を、３の上蓋ａ’を開けた内部にある１１の札入れｄ’に五千円札、そして、その後方の１４の札入れｄ”には一万円札を分けて入れ、１９のポケットには買い物券や、クリーニング店の引換券を入れておく。
【図面の簡単な説明】
【０００７】
【図１】貨幣入れ全体を示した正面図である。
【図２】上蓋ａを開いた状態を示した正面図である。
【図３】上蓋と下蓋を開いた状態を示した正面図である。
【図４】上蓋ａ’を開いた状態を示した斜視図である。
【図５】上蓋ａ’を開き、引き手とファスナーを施したポケットを手前に引き倒した状態を示した斜視図である。
【図６】うしろポケットを有する貨幣入れの背面図である。
【符号の説明】
【０００８】１−貨幣入れ本体、２−上蓋ａ、３−上蓋ａ’、４−下蓋、５−側壁、６−カード入れｂ、７−札入れｄ、８−小銭入れｃ、９−ファスナー、１０−引き手、１１−札入れｄ’、１２−側壁、１３−カード入れｂ’、１４−札入れｄ’’、１５−係止具ｅ、１６−係止具ｅ’、１７−係止具ｅ’’、１８−係止具ｅ’’’、１９−ポケット、２０−ポケット  ２１−カード入れｂ’’、２２−うしろポケット。
【手続補正５】
【補正対象書類名】図面
【補正対象項目名】全図
【補正方法】変更
【補正の内容】
【図１】
0003158781.tif 000009
【図２】
0003158781.tif 000010
【図３】
0003158781.tif 000011
【図４】
0003158781.tif 000012
【図５】
0003158781.tif 000013
【図６】
0003158781.tif 000014